(57)【特許請求の範囲】
【請求項１】
球状体１５並びに人形首を装着可能な支持ヘッド１４を含んだ支持体１３と、球状体１５より小径で支持ヘッド１４を突出させる窓１２を有した支承ケーシング１１と、支承ケーシング１１内に上部が配置されると共に一部が支承ケーシング１１に係止された受部材１６と、支承ケーシング１１に上部が固設され、その内部に垂下された締付用ボルト１９と、受部材１６と連係されると共に締付用ボルト１９に上下動可能に螺合され且つ上動時に受部材１６を変位させて窓１２の縁部と受部材１６との間に球状体１５を挟持・固定する締付部材２０と、支承ケーシング１１の下部に結合されたＬ字状の連結フレーム１１Ａと、上部に連結フレーム１１Ａと直接連結される連結具１１Ｂが装着された多角形の調節ロッド２２と、Ｌ字状の連結フレーム１１Ａの垂下部１１Ａ’に連結具１１Ｂを調節ロッド２２の軸に対して横方向の軸回りの所望の位置で固定可能な緊結ネジ１１Ｃと、調節ロッド２２を挿通可能で且つ平坦面を持つ貫通穴２４を有したコ字状部材２３と、コ字状部２３に装着されこのコ字状部材２３の一部と協働する締付・固定部材２６とを備えてなる整髪練習用人形首の取付台１０。
【発明の詳細な説明】
【０００１】
【発明の属する技術分野】
本発明は整髪練習用人形首の取付台に関する。
【０００２】
この種の整髪練習用人形首の取付台にあつては、人形首が直接装着される支持ヘツドを有した支持体を包有し、この支持体は支承ケーシングに対する傾斜を変化自在に設けられていて、机等にこの取付台を設置した上、支持ヘツドに人形首を装着せしめ、人形首を所望に向けつゝ整髪練習を実現できるから、美容あるいは理容の練習に有効に利用され得る。
【０００３】
【従来の技術】
整髪練習用人形首の取付台としては、本件出願人の先行考案になる実公昭６２−７２１０号公報に開示のものが挙げられ、この考案においては支持ケーシング内で固定可能に収容された球状部が支持体に一体化され、且つこの支持体には支持ケーシングに設けられた穴部から上向きに突出する支持ヘツドが具備され、支持ヘツドを所望の方向に向けるように支持ケーシング内で支持体の球状部が固定され得ると共に、支持体に結合された調節ロツド２２が締付・固定部材を装着したコ字状部材に挿通され、このコ字状部材に対し止めネジによつてネジ止め可能に設けられた取付台が提供されている。
【０００４】
この構成によれば机等に抱持・固定させるコ字状部材に対し支持体、延いては支持ロツドの高さ位置を調節しつゝ当該支持ヘツドに人形首を装着した上、人形首の傾倒・固定を行い得るから、人形首の装着位置の自在性が増進され得る。
【０００５】
【発明が解決しようとする課題】
上述の実公昭６２−７２１０号公報に開示の人形台にあつては、コ字状部材に挿通される調節ロツドを適宜高さ調節した後、止めネジによつてコ字状部材に対し固定可能である。しかしながら人形首の取付台の被固定物は取付台を垂直に取付ける机等だけでなく、上向きに垂直な部片へ取付けることがある。しかして机等の水平な部片への取付けにとどまらず、垂直な部片への取付けも可能にすることによつて、人形首の取付台の汎用性を持たせることが望まれる。
【０００６】
従つて本発明は支承体に装着される人形首の位置決めの自在性を充分に保ちつゝ、被固定物に対する汎用性を増す整髪練習用人形首の取付台を提供することを目的とする。
【０００７】
【課題を解決するための手段】
本発明によればこの目的は、球状体１５並びに人形首を装着可能な支持ヘツド１４を含んだ支持体１３と、球状体１５より小径で支持ヘツド１４を突出させる窓１２を有した支承ケーシング１１と、支承ケーシング１１内に上部が配置されると共に一部が支承ケーシング１１に係止された受部材１６と、支承ケーシング１１に上部が固設され、その内部に垂下された締付用ボルト１９と、受部材１６と連係されると共に締付用ボルト１９に上下動可能に螺合され且つ上動時に受部材１６を変位させて窓１２の縁部と受部材１６との間に球状体１５を挟持・固定する締付部材２０と、支承ケーシング１１の下部に結合されたＬ字状の連結フレーム１１Ａと、上部に連結フレーム１１Ａと直接連結される連結具１１Ｂが装着された多角形の調節ロツド２２と、Ｌ字状の連結フレーム１１Ａの垂下部１１Ａ’に連結具１１Ｂを所望の位置で固定可能な緊結ネジ１１Ｃと、調節ロツド２２を挿通可能で且つ平坦面を持つ貫通穴２４を有したコ字状部材２３と、コ字状部材２３に装着されこのコ字状部材２３の一部と協働する締付・固定部材２６とを備えてなる整髪練習用人形首の取付台によつて実現される。
【０００８】
【作用】
上述の本発明による整髪練習用人形首の取付台によれば、受部材と調節ロツドとの連結位置を変更可能に構成し、本発明者の先行技術による人形首の位置決めの自在性を充分に維持するに加え、被固定物の汎用性を増すことができる。
【０００９】
【発明の実施の形態】
図１および図２を参照するに、本発明による整髪練習用人形首の取付台１０が示されており、この取付台１０には支承ケーシング１１が包有され、且つ支承ケーシング１１の上面には平面から見て略円形の窓１２が具備される。この窓１２からは支持体１３が延出され得、支持体１３には人形首を直接装着可能な支持ヘツド１４と、窓１２の径より僅かに径が大の球状体１５とが具備される。
【００１０】
また支承ケーシング１１には受部材１６の上部が挿入されており、受部材１６の一側には係止孔１７が設けられていて、この係止孔１７に支承ケーシング１１の壁部へ外部から螺入された止めネジ１８の先端が係入される。且つまた支承ケーシング１１の上面にその上部が固定され、垂下される締付用ボルト１９が具備され、この締付用ボルト１９に受部材１６の他側を押上可能な締付部材２０が装着される。且つ締付部材２０には締付ハンドル２１が連結され、この締付ハンドル２１を回動することにより受部材１６を上動して、窓１２の縁部と受部材１６の上縁部の間に支持体１３の球状体１５、延いては支持体１３自体を強固に固定できる。一方締付ハンドル２１の、下記と逆方向の回動により、強固な固定状態を解放して、適宜に支持体１３を所望位置に傾斜させた後、締付ハンドルを介して再固定できる。
【００１１】
更に支承ケーシング１１の下部には側面からＬ字状の連結フレーム１１Ａが固設され、且つこの連結フレーム１１Ａの垂下部１１Ａ’には調節ロツド２２の上部に固定された連結具１１Ｂに緊結ネジ１１Ｃにより連結される。この場合受部材１６、延いては支持体１３に対して調節ロツド２２を所望の位置に位置決めした後、緊結ネジ１１Ｃを締込んで調節ロツド２２を固定できる。即ち支持体１３に対する調節ロツド２２の相対角度位置を変更自在にし得る。換言すれば例えば図４のように支持体１３の延長方向の位置から図５の如く、この延長方向に対し直角の位置に変更し得ることになる。
【００１２】
当該調節ロツド２２の下部はコ字状部材２３の貫通穴２４に挿通され、且つ止めネジ２５によつてコ字状部材２３に強固に固定され得る。このとき特に調節ロツド２２に多角形、好ましくは六角形のものを用い、一方コ字状部材２３の貫通穴２４内面に、調節ロツド２２の多角形面と面接触するような平坦面２４ａ、２４ｂを具備させることにより、止めネジ２５の締め込み時に調節ロツド２２とコ字状部材２３とを高信頼性を維持して確実に連結され得る。
【００１３】
またコ字状部材２３の下部にはハンドル２６の回動によつて上下動する締付ロツド２７が螺合されており、コ字状部材２３の上部２３ａ内面と締付ロツド２７の先端部２７ａとの間に机の板材等を挟持・固定することにより、人形首の取付台１０総体を机等に装着できる。更に締付ロツド２７の上部には各端部が連結フレーム１１Ａの下端とコ字状部材２３の上端との間に締付バネ２８が装着されており、連結フレーム１１Ａとコ字状部材２３とが緩衝性を持たせて離間されている。
【００１４】
しかして上述のように構成された練習用人形首の取付台１０においては、支持体１３に対して調節ロツド２２を所望の方向に向けて固定でき、従前の机等に設置できることに加え、例えば理容・美容練習用の椅子等への設置も可能になる。
【００１５】
【発明の効果】
上述の構成をとる本発明の練習用人形首の取付台によれば、支持体に装着される人形首の位置決めの自在性を充分に維持すると共に、調節ロツド２２の位置決めを自在に変更でき、汎用性を増すことができる。
【図面の簡単な説明】
【図１】図１は本発明による整髪練習用人形首の取付台の側面図である。
【図２】図２は図１の取付台のコ字状部材の断面図である。
【図３】図３は図１の取付台の部分拡大側面図である。
【図４】図４は図１の取付台の動作説明図である。
【図５】図５は図１の取付台の別の動作説明図である。
【符号の説明】
１０              取付台
１１              支承ケーシング
１１Ａ            連結フレーム
１１Ａ’          垂下部
１１Ｂ            連結具
１１Ｃ            緊結ネジ
１２              窓
１３              支持体
１４              支持ヘツド
１５              球状体
１６              受部材
１７              係止孔
１８              止めネジ
１９              締付用ボルト
２０              締付部材
２１              締付ハンドル
２２              調節ロツド
２３              コ字状部材
２３ａ            上部
２４              貫通穴
２５              止めネジ
２６              ハンドル
２７              締付ロツド
２７ａ            先端部
【図１】
0003695185.tif 000002
【図２】
0003695185.tif 000003
【図３】
0003695185.tif 000004
【図４】
0003695185.tif 000005
【図５】
0003695185.tif 000006